(57)【要約】【課題】  挿入口の縦横幅を保持しつつ、仕切ることが出来る仕切部を有する、カバン、バスケット、ナップザック、財布等のバッグ類を提供する。【解決手段】  バッグ類の挿入口を矩形状とみなした時、任意の角部の、この一カ所以上を始点個所としここより、該角部の対角部又はその対角部を形成する側辺、側面部で接触ないしは接合する、あるいはこれらの方向に設置可能に、仕切部を設けたことを特徴とする。【選択図】図１
2010042250.tif 000002
【特許請求の範囲】
【請求項１】
バッグ類の挿入口を矩形状とみなした時、任意の角部の、この一カ所以上を始点個所としここより、該角部の対角部又はその対角部を形成する側辺、側面部で接触ないしは接合する、あるいはこれらの方向に設置可能に、仕切部を設けたことを特徴とする、斜形仕切部付きバッグ。
【請求項２】
仕切部が、任意の角部の、この一カ所以上を始点個所としここより対角線上に、あるいは当方向に設置可能に、設けられたことを特徴とする、請求項１記載の斜形仕切部付きバッグ。
【請求項３】
仕切部が、任意の角部を始点個所としここより、該角部の対角部を形成する側辺、側面部と接触ないしは接合又は接触ないしは接合可能に設けられた後、該角部の隣角部まで延長して設けられたことを特徴とする、請求項１記載の斜形仕切部付きバッグ。
【請求項４】
バッグ類の挿入口を矩形状とみなした時、任意の側辺、側面部を始点個所としここより、該側辺、側面部の隣側辺、側面部と接触ないしは接合又は接触ないしは接合可能に設けられた後、該側辺、側面部の対側辺、対側面部まで延長して設けられたことを特徴とする、斜形仕切部付きバッグ。
【請求項５】
仕切部下端部は本体の底部と分離していることを特徴とする、請求項１、２、３、４記載の斜形仕切部付きバッグ。
【請求項６】
仕切部が着脱自在に設けられていることを特徴とする、請求項１、２、３、４、５記載の斜形仕切部付きバッグ。
【発明の詳細な説明】
【技術分野】
【０００１】  本発明は、カバン、バスケット、ナップザック、財布等のバッグ類に関するものである。
【背景技術】
【０００２】  従来、矩形状とみなす挿入口の、一辺側または長辺側と同方向に設けられたポケットを有する、バッグ類がある。
【発明の開示】
【発明が解決しようとする課題】
【０００３】    そのために次のような問題点があった。
（イ）バッグが小さければ入れられない物があり、大きければ内容物がぐらついた。
（ロ）挿入口が正方形状で広ければ、吊し持った時、外側にある支持点は体からより離れ    て、持ちにくかった。
（ハ）バッグは肩にかける等して体に近づけて持ちたいものなので、大きいあるいは正方    形状で広ければ、外側から圧せられて内容物が変形する危険があった。
（ニ）従来の本体内側に設けられたポケットには、大きさによっては財布は入りにくく、    入っても蓋がない場合は上部では盗難の危険があり、底側では探しにくかった。
（ホ）仕切部がないため、収納物を区分けしにくかった。
（ヘ）長辺側と同じ方向の仕切部を有する場合、短辺側を二分することになり、その幅を    越える物は入らない。
（ト）短辺側と同じ方向の仕切部を有する場合、長辺側を二分することになり、その幅を    越える物は入らない。
【課題を解決するための手段】
【０００４】  バッグ類の挿入口を矩形状とみなした時、任意の角部の、この一カ所以上を始点個所としここより、該角部の対角部又はその対角部を形成する側辺、側面部で接触ないしは接合する、あるいはこれらの方向に設置可能に、仕切部を設けたことを特徴とする。
【発明の効果】
【０００５】  仕切部があっても、バッグの短辺側、長辺側の幅の物が入るようになった。
仕切部には、斜めに設けることで収納物により接触面が増え、その形状に添い曲がることで固定出来ると共に張りが生まれ、ストッパーの機能が生じた。
仕切れるようになり、収納物の固定が出来ることによって、上側に空間が確保され固定出来るようになり、ここでの分別も可能となった。
仕切部があるため、開栓された飲み物の口部を上側にして固定出来るので、零れる心配がなくなった。
仕切部を対角部へと中を渡って設けるため、これが形状固定の機能を生じさせ、本体バッグが自立し易くなった。
一つの空間に狭い個所と広い個所が出来るので、挿入する物の置き方が選べられる。
本体が柔らかい生地でも張りが生じ、開口状態で自立保持され易く物が入れ易くなった。
仕切部が本端側に対し斜めのため、蓋の開閉が無理なく出来る。
【発明を実施するための最良の形態】
【０００６】    以下、本発明の実施の形態について説明する。バッグ類の外郭部を本体と称し、この本体生地が柔らかければ物を挿入した時、側面部や底面部が変形するが、便宜上、これを図示しない場合がある。矩形状の挿入口から見て、その対角線上に仕切部を設ける場合を例に取る。取って部の形状、有無は問わず、これを図示するとは限らない。
図１〜図１７を用いて仕切部を１方向１枚で、対角線上に設ける場合を説明する。
図１〜図１２を用いて、蓋部を有さない第１形態を説明する。
仕切部は、対角線程度の長さで設けることになるが、本体の底部と接合しなければ、バイヤス生地やメッシュ生地、ゴム材等の材料で、又はギャザー入りで伸縮可能にする場合もあり、その長さは定まらない。
図１は斜視図で、左側面部（１）、仕切部（２）、背面部（３）、右側面部（４）、取って部（５）、正面部（６）とを表す。図２は長方形状を呈する仕切部の例で、仕切部左端（７）、仕切部上端（８）、仕切部右端（９）、仕切部下端（１０）を表す。図３は平面図で、仕切部、左右側面部、前面部、背面部、取って部の各上端を示す。仕切部の左右両端は本体内側の対応する２角部に接合し、その接合した個所を根本個所（１１）とする。１角部のみに接合する場合は後述する。図４は、図３のＡーＡ断面図で、ａは使用前の仕切部の状態を示し、ｂは対角線位置を越える幅のキャベツのような大きい物（１３）を挿入した時の、仕切部変形を表す。仕切部下端の本体の底面部（１２）との接合は、空間部を歪めたくない等の使用目的や、本体、仕切部の大きさ、硬さ、また収納物によって選択する。ここでは収納物に添う時の仕切部の変形が妨げられないように、また変形が本体底部に響かないように、分離して設ける。【０００７】  使い方を説明する。
エコバッグでは、図１のように、挿入口を上にし、台の上やスーパーのかご内に置く。
次に、収納について図５で、仕切部を設けても本体の縦横幅が守られて収納物が挿入されることを説明する。ａは、ボールのような大きい物（１３）の２個の入れ方の例を挙げ、左右両側面部（１、４）での縦幅が守られ挿入可能であることを示す。ｂは書類（１４）の入れ方の例を挙げ、正面部（６）、背面部（３）での横幅が守られ挿入可能であることを示す。
図６の使用平面図のように、挿入口内の左側面部に添って、キャベツのように大きい物を、右側面部に添って、同じくレタスやカボチャのように大きい物を入れる。少し幅の狭くなったそれぞれの内側に、小さい物（１５）やネットでまとめられて形状変化する物を入れる。またビール瓶や大根のような長い物（１６）を立たせて入れるが、袋に対して大きすぎる場合は、仕切部（２）方向に添って入れる。図７の図４ｂに準じる使用断面図のように、下側でキャベツやカボチャがしっかり確保した上側の空間部に、卵のような割れやすい物や、パンのように圧しては困る壊れやすい物（１７）を置く。図８で、片方の空間部を主に使用し、残りに財布（１８）を入れる場所とする使い方を示す。
収納が終われば、取って部（５）を併せ持って持ち上げる。
トートバッグでは、文書類とその他の雑多な物を仕切部で区分けして使用する。
図９は仕切部の正面からの図で、仕切部上端（８）について形状固定がしにくい材質の場合の工夫例を付け加える。上端部を厚めにする、別の材質で縁取る、線材を差し込む等で、張り個所（１９）を設ける。以下、この張り個所の図示を行うとは限らない。【０００８】  図１０の平面図で、仕切部を二重に設け両下端を接合した袋状の場合を説明する。
ａは、メッシュ状の二重で設けた仕切部（２）を示す。ｂは仕切部上端（８）にファスナー（２０）等を設け、開閉を可能にする場合で、ここに財布等を挿入する。【０００９】  図１１、図１２で仕切部上端（８）を、本体の上端（２１）より低く設ける場合を説明する。
図１１ａは、前図１を参考にするなら、正面部（６）と右側面部（４）を仕切部位置で切り外した時の、仕切部（２）と背面部（３）の状態を示す。仕切部の角部と接合しない本体個所を上段部（２２）とし、接合する個所を下段部（２３）とする。ｂは前記図４ａに準じる断面図である。
図１２は、本体上段部を外側へ折り曲げた場合の、ａは正面図、ｂは平面図である。この成形で柔らかい生地の場合も本体の自立がより可能になる。【００１０】  図１３．〜図１６を用いて、蓋部を有さない場合で、仕切部が可動式あるいは着脱式とする、前記と異にする第２形態を説明する。
図１３、図１４で、可動式の場合を説明する。図１３ａは、仕切部（２）を本体長辺側に添っておいた平面図で、図面左側を根本個所（１１）とし、図面右側を先端個所（２４）とし当個所を可動個所とした。ｂはこの時の仕切部の正面図で、上端から右端へ肩流れ状の張り個所（１９）を有する場合である。図１４は仕切部を中側へ引き出した使用図である。
次に、図１５、図１６で、１角部を着脱可能に設けた場合を説明する。図１５は、右側の先端個所に差し込み片（２５）を有する仕切部の正面図である。図１６は、平たい物（２６）を底に挿入する場合の使用図で、ａは本体の角部内側にリング又は溝等の受け側の固定具（２７）を有した場合の平面図である。ｂでは、平たい物の上に仕切部を固定具に差し込み、対角線状を呈している。
続けて、根本個所とした角部も着脱可能な場合を説明する。仕切部の左右に差し込み片を２個有する場合であり、本体の角部にもこれに対応し２個所に固定具を有することになる。前図１０の仕切部を二重で設けた場合もこの着脱方法は可能である。【００１１】  図１７を用いて、蓋部を有する第３形態を説明する。
ａ、ｂ、ｃの各種バッグの図で、蓋部（２８）を有しても、本発明の仕切部（２）の取り付け方が可能であることを示している。開閉によって、バッグ側面が凹んでも、その凹み部分は仕切部と本体の側面との間に入ることが出来、その存在は開閉の妨げにならない。同じく財布のようなアコーデオン状の側面の場合も、同様の理由で妨げにならない。ナップザックはｃに類似し、本体の底部と接合しないため、仕切部を設けることは可能である。【００１２】  図１８〜図２４を用いて、仕切部が２方向１枚以上の場合を説明する。
図１８〜図２０で、第４形態を説明する。
先ず、前図１３に類似し、先端個所を有する場合を説明する。
図１８は平面図である。図面左上の角部を根本個所（１１）とし固定し、その隣角部の図面右上に、先端個所（２４）を置く。根本個所の対角部を形成する図面下側の長辺側に、仕切部（２）との接合又は接触による対辺固定部（２９）を設ける。ａは使用前、ｂは書籍（１４）やその他を挿入した使用状態を示す。図１９ａは、固定具としてベルト止め具（３０）を本体の側面内部（３１）に設け、先端個所を対辺固定部と図面右上の角部を通過させた場合の平面図である。当固定具を設けるために角部より固定位置がずれるが、このずれを意図した形態については後述する。ｂはベルト止め具とその付近の拡大断面図である。図２０ａは、この時の仕切部の張り個所（１９）等を有する先端個所の形状、ｂはベルト止め具での固定状態を示す、仕切部正面図である。【００１３】  図２１〜図２４を用いて、空間部の形状について前記と異にする、第５形態を説明する。
図２１は、ｎ状引っかけ具（３２）を利用し、前図１８での対辺固定部（２９）を移動可能に設けた場合の、ａは平面図、ｂはｎ状引っかけ具の取り付け状態を示す拡大断面図である。図２２で仕切部上端（２，８）を本体の上端（２１）より低く設けた場合で、ｎ状引っかけ具の付け方について説明すると、ａは平面図、ｂはｎ状引っかけ具の取り付け状態を示す拡大断面図である。この時、上端の高さが揃わず本体とまとめられないため、固定具を留めるための固定用の帯体（３３）等が必要になる。帯体を設けた個所をチケット、カード、葉書入れとして使用出来る。図２３は平面図で、ａは前図１３ａのように仕切部を側面側に添わせている。ｂはａとは反対側に添わせている。これは仕切部を長く設けた場合で、仕切部の材質によっては、必ずしも固定具は必要ではない。大きい物を入れたい時にこれらの形に成形する。
図２４は、定形書類、札類等を対象とする等の使用目的で、仕切部両端位置を角部より同じ長さでスライドし、スライド部（３４）を有する場合で、本体の上端中央位置（３５）に、フック状の固定具を設けたａは平面図、ｂはその付近の拡大図である。この時、仕切部に孔を開けてそこにフックを通すか、仕切部をフックに被せる。フックを仕切部側に設け、前図２２のような帯体を設けるなら、これに引っかけることになる。
その他、リング、フックの組合せや、面テープ、スナップ、鳩目、磁石等を固定具とすることが出来る。接触、接合個所は１カ所とは限らない。【００１４】  図２５〜図３５を用いて、仕切部が２方向２枚以上の場合を説明する。
図２５〜図３２を用いて、２枚の仕切部が中心部で接合する第６形態を説明する。
図２５ａは平面図で、２枚の仕切部の中間個所（３６）での交叉状態を示し、ｂは、仕切部（２）上端を本体の上端（２１）より低く設けた場合のＢーＢ断面図である。
図２６〜図２９で作り方の例を示す。図２６は２枚の生地イとロをそれぞれ前図２５の形状で、本体の短辺側に添う位置で接合する場合の、先ず左図の２枚の生地上端側の状態から、それらを中間個所で繋いだ状態へ、また、本体に填め込んだ状態への変化を示す。図２７で仕切部を対角線の長さを越えて設ける場合には、直線状にはならず対角線上に添わず半円形状になる場合もあることを示す。引き続き図２８は、先ず左図の２枚の生地ハとニをそれぞれ本体長辺側に添う位置で接合する場合の、２枚の生地の上端側の状態から、それらを中間個所で繋いだ状態へ、また、本体に填め込んだ状態への変化を示す。
中間個所で４枚の生地を接合して設ける、またはもとから×状に成形された仕切部の場合は、そのまま本体内に填め込み４個所の角部に接合する。あるいは着脱可能に、本体角部内部に溝を設けて、仕切部の上端から側端に張り個所を設けそれを差し込む方法等もある。
図２９は仕切部下端に、緩み個所（３７）を有する場合で、ａは切り込みを設けた、ｂはフレアー状にした場合である。これは前記形態にも応用出来る。【００１５】  エコバッグで使い方を説明する。
仕切部（２）によって４カ所の空間部が生じるが、図３０の平面図の空間部にホ、ヘ、ト、チの名称を印して説明する。図３１はキャベツ等の大きい物（１３）が、短辺側の空間部ホに挿入可能な場合の使用図である。大きい物が挿入不可の場合には、図３２ａのように、空間部トまたは空間部チから挿入する。底部が柔軟であったり、仕切部と底部との間隔が挿入物の直径程度であれば、当挿入物はその間に収まり、本体底部が硬かったり、間隔がその直径以内であれば、ｂのように仕切部の一部を押しつけた状態で収まる。
トートバッグでは、空間部を、文書類、携帯、折り畳み傘、筆記具、ハンカチ・テイッシュ入れゴミ入れ等に、また仕切部や本体底面部、側面部に保冷効果を持たせて作成しここを冷えた物入れに、というように区分けして使用する。
前図１７のような蓋付きバッグを当形態にした場合については、バッグ側面が凹んでもその凹み部分は仕切部間に入り、開閉の妨げにならない。仕切部を硬質にしたり張り個所を設けた場合も、その理由で作成は可能である。【００１６】  図３３、図３４を用いて、空間部の大きさを変えられる第７形態について説明する。
挟み具を設ける場合では、挟み具は仕切部が垂れ下がることのないよう、軽量で張りのあるプラスチック材等を使用する方が望ましい。図３３ａはアルファベットＯ状かＵ状の挟み具（３８）、ｂはその挟み具で２枚の仕切部（２）を束ねた場合の当個所の斜視図である。挟み具下端を本体の底面部（１２）に接合する場合を、ｃで示す。図３４で機能について説明すると、前図３０のように通常は同じ広さの空間部ホ、ヘの一方を、挟み具を片側に移動することによって広くすることが出来ることを示す。前図３２の場合の大きい物（１３）でも、空間部ホより挿入可能となる。
その他の場合で、仕切部をゴム材やギャザー状でゆとりがあるように設ける、また前図２４のようなスライド部の始点位置を移動可能に設ける方法等で、空間部の大きさを変える。
収納物が平たい物で、弁当、刺身のように、本体底部より広いものを傾けないで収納した場合は、前図３０の空間部トから差し込んでここを上側にして本体を抱くような持ち方をすることになる。この時他の物が出ないようにするために、蓋部を設け通常は蓋を側面部内部に折り込んで使用する形態も考えられる。【００１７】  図３５を用いて、仕切部の中間個所（３６）を回転個所（３９）とした第８形態を説明する。
前図２６の接合説明での、ａは仕切部（２）イ側を半円状にし、仕切部ロ側を芯にして接合した場合の平面図、ｂはａの円内の拡大図である。この位置を着脱可能にも出来る。
【図面の簡単な説明】
【００１８】
【図１】  本発明の第１形態の斜視図である。
【図２】  本発明の第１形態の仕切部の正面図である。
【図３】  本発明の第１形態の平面図である。
【図４】  本発明の第１形態の断面図である。
【図５】  本発明の第１形態の使用図である。
【図６】  本発明の第１形態の使用図である。
【図７】  本発明の第１形態の使用図である。
【図８】  本発明の第１形態の使用図である。
【図９】  本発明の第１形態の仕切部の正面図である。
【図１０】  本発明の第１形態の平面図である。
【図１１】  本発明の第１形態の断面図である。
【図１２】  本発明の第１形態の成形図である。
【図１３】  本発明の第２形態の平面図と仕切部の正面図である。
【図１４】  本発明の第２形態の使用図である。
【図１５】  本発明の第２形態の仕切部の正面図である。
【図１６】  本発明の第２形態の使用図である。
【図１７】  本発明の第３形態の斜視図である。
【図１８】  本発明の第４形態の平面図と使用図である。
【図１９】  本発明の第４形態の平面図と拡大断面図である。
【図２０】  本発明の第４形態の仕切部の正面図である。
【図２１】  本発明の第５形態の平面図と拡大断面図である。
【図２２】  本発明の第５形態の平面図と拡大断面図である。
【図２３】  本発明の第５形態の平面図である。
【図２４】  本発明の第５形態の平面図と拡大図である。
【図２５】  本発明の第６形態の平面図と断面図である。
【図２６】  本発明の第６形態の作り方図である。
【図２７】  本発明の第６形態の平面図である。
【図２８】  本発明の第６形態の作り方図である。
【図２９】  本発明の仕切部の正面図である。
【図３０】  本発明の第６形態の平面図である。
【図３１】  本発明の第６形態の使用図である。
【図３２】  本発明の第６形態の使用図である。
【図３３】  本発明の第７形態、挟み具とその装着状態を示した斜視図である。
【図３４】  本発明の第７形態、挟み具とその装着状態を示した平面図である。
【図３５】  本発明の第８形態のａは平面図、ｂはａの円内拡大図である。
【符号の説明】
【００１９】  １  左側面部                  ２  仕切部                ３  背面部
４  右側面部                  ５  取って部              ６  正面部
７  仕切部左端                ８  仕切部上端            ９  仕切部右端
１０  仕切部下端              １１  根本個所            １２  底面部
１３  大きい物                １４  書類                １５  小さい物
１６  長い物                  １７  壊れやすい物        １８  財布
１９  張り個所                ２０  ファスナー          ２１  上端
２２  上段部                  ２３  下段部              ２４  先端個所
２５  差し込み片              ２６  平たい物            ２７  固定具
２８  蓋部                    ２９  対辺固定部          ３０  ベルト止め具
３１  本体の側面内部          ３２  ｎ状引っかけ具      ３３  帯体
３４  スライド部              ３５  上端中央位置        ３６  中間個所
３７  緩み個所                ３８  挟み具              ３９  回転個所
【図１】
2010042250.tif 000003
【図２】
2010042250.tif 000004
【図３】
2010042250.tif 000005
【図４】
2010042250.tif 000006
【図５】
2010042250.tif 000007
【図６】
2010042250.tif 000008
【図７】
2010042250.tif 000009
【図８】
2010042250.tif 000010
【図９】
2010042250.tif 000011
【図１０】
2010042250.tif 000012
【図１１】
2010042250.tif 000013
【図１２】
2010042250.tif 000014
【図１３】
2010042250.tif 000015
【図１４】
2010042250.tif 000016
【図１５】
2010042250.tif 000017
【図１６】
2010042250.tif 000018
【図１７】
2010042250.tif 000019
【図１８】
2010042250.tif 000020
【図１９】
2010042250.tif 000021
【図２０】
2010042250.tif 000022
【図２１】
2010042250.tif 000023
【図２２】
2010042250.tif 000024
【図２３】
2010042250.tif 000025
【図２４】
2010042250.tif 000026
【図２５】
2010042250.tif 000027
【図２６】
2010042250.tif 000028
【図２７】
2010042250.tif 000029
【図２８】
2010042250.tif 000030
【図２９】
2010042250.tif 000031
【図３０】
2010042250.tif 000032
【図３１】
2010042250.tif 000033
【図３２】
2010042250.tif 000034
【図３３】
2010042250.tif 000035
【図３４】
2010042250.tif 000036
【図３５】
2010042250.tif 000037